(57)【要約】【課題】筐体に対する蓋部の設置位置の調整に対し、筐体と蓋部との間の止水機能の維持および、蓋部や突起部または止水部材の形成精度に関わらず、筐体に対する蓋部の接合状態の適正化を図る。【解決手段】筐体（３２）と、蓋部（１０、カバー４０）と、止水手段（１２、１２０）とを備える。筐体は、止水領域（４）を形成する立壁部（１６）を備える。蓋部は、筐体に着脱可能に設置され、止水領域を覆う。止水手段は、蓋部に設置され、立壁部の側面周囲を囲い、立壁部に止水部材（２０、１２２）を圧接させて止水領域に対して止水する。この止水手段は、止水部材に接触させ、立壁部に対する止水部材の圧接状態を維持させる突起部（２２、軸部１３０）と、蓋部に対して突起部の相対位置を変位可能に連結させる連結部（２４、１２８）とを備える。【選択図】    図１
2014038944.tif 000002
【特許請求の範囲】
【請求項１】
止水領域を形成する立壁部を備える筐体と、
前記筐体に着脱可能に設置され、前記止水領域を覆う蓋部と、
前記蓋部に設置され、前記立壁部の側面周囲を囲い、前記立壁部に止水部材を圧接させて前記止水領域に対して止水する止水手段と、
を備え、
前記止水手段は、
前記止水部材に接触させ、前記立壁部に対する前記止水部材の圧接状態を維持させる突起部と、
前記蓋部に対して前記突起部の相対位置を変位可能に連結させる連結部と、
を備えることを特徴とする、電子装置。
【請求項２】
前記連結部は、前記蓋部の変位により前記突起部側に作用する前記立壁部からの接触力に応じて変形することを特徴とする、請求項１に記載の電子装置。
【請求項３】
前記突起部は、周囲の一部または全部に前記止水部材が一体に成形されたことを特徴とする、請求項１または請求項２に記載の電子装置。
【請求項４】
さらに、前記蓋部に設置され、前記筐体に対する前記蓋部の設置位置をガイドするガイド軸と、
前記筐体上に形成され、前記ガイド軸を挿通させて前記蓋部を設置位置に保持させる支持孔と、
を備えることを特徴とする、請求項１ないし請求項３のいずれかに記載の電子装置。
【請求項５】
前記立壁部の側面部と前記支持孔との間の距離が、前記ガイド軸と前記止水手段との間の距離に対して一定の範囲内に設定されることを特徴とする、請求項４に記載の電子装置。
【発明の詳細な説明】
【技術分野】
【０００１】
本発明は、筐体と蓋部とを備える電子装置の止水構造に関する。
【背景技術】
【０００２】
携帯電話機などの電子装置は、たとえば内蔵される充電電池やメモリなどの交換を可能にするために筐体の一部または全部に対して着脱可能な蓋部が設置されたものがある。このような電子装置では、蓋部と筐体との連結部分に水分やその他の微細な異物などが混入するのを防止するための止水部材を介在させるものが知られている。
【０００３】
また電子装置の蓋部には、設置された止水部材を筐体側に押し付けて密閉させるための構造が形成されるものが知られている。
【０００４】
このような電子装置の止水構造に関し、筐体に開口された電池収納部の周囲に嵌合部が形成され、この嵌合部において蓋部に形成された補助部材により防水部材が圧接されるものがある（たとえば特許文献１）。
【先行技術文献】
【特許文献】
【０００５】
【特許文献１】特開２０１０−１８２６０３号公報
【発明の概要】
【発明が解決しようとする課題】
【０００６】
ところで電子装置の止水手段は、筐体と蓋部との間に止水部材を接触させることで密閉状態を保持させている。またこの止水手段は、たとえば蓋部に形成した押圧リブによって止水部材を筐体に対して押し付けることで止水部材による密閉性を高めるものがある。このような電子装置では、止水部材を押し付ける押圧リブの位置によって筐体に対する蓋部の設置位置が決められることになる。
【０００７】
しかし、止水部材や押圧リブは、たとえば大きさや設置位置または角度などに誤差が生じる場合がある。また、携帯型の電子装置では、小型化や薄型化により微少な成形誤差によっても止水部材と筐体ケースとの間に大きなズレが生じる可能性がある。このような誤差は、電子装置の筐体に対する蓋部の設置精度を低下させることになる。筐体と蓋部との接合状態は、電子装置の外観に影響を与える。
【０００８】
そして、電子装置では、蓋部と筐体との間に生じたズレに対し、たとえば利用者が蓋部の配置位置を修正することで筐体内部の止水手段の破損などが生じる恐れがあり、適正な止水機能が得られなくなるおそれがあるという課題がある。また、筐体と蓋部とが爪部品などの係止手段によって係止される電子装置では、筐体と蓋部とのズレによって適正な係止状態が得られなくなるおそれがあるという課題がある。
【０００９】
そこで、本開示の電子装置の第１の目的は、筐体に対する蓋部の設置位置の調整に対し、筐体と蓋部との間の止水機能の維持を図ることにある。
【００１０】
また、本開示の電子装置の第２の目的は、蓋部や突起部または止水部材の形成精度に関わらず、筐体に対する蓋部の接合状態の適正化を図ることにある。
【課題を解決するための手段】
【００１１】
上記目的を達成するため、本開示の構成の一観点によれば、筐体と、蓋部と、止水手段とを備える。筐体は、止水領域を形成する立壁部を備える。蓋部は、筐体に着脱可能に設置され、止水領域を覆う。止水手段は、蓋部に設置され、立壁部の側面周囲を囲い、立壁部に止水部材を圧接させて止水領域に対して止水する。この止水手段は、止水部材に接触させ、立壁部に対する止水部材の圧接状態を維持させる突起部と、蓋部に対して突起部の相対位置を変位可能に連結させる連結部とを備える。
【発明の効果】
【００１２】
本開示の電子装置によれば、次のいずれかの効果が得られる。
【００１３】
(1)  連結部により蓋部と突起部との相対位置を変位可能に連結させることで、筐体の立壁部に対して突起部により止水部材を圧接させることができ、止水機能を維持させることができる。
【００１４】
(2)  蓋部と突起部とを連結部により相対的に変位可能に連結させることで、蓋部に対する止水手段の形成誤差を吸収でき、筐体と蓋部との接合精度を向上させるとともに、止水機能の維持を図ることができる。
【００１５】
(3) 連結部により蓋部と突起部との相対位置を変位可能に連結させることで、筐体に対する止水部材の接触位置が限定されるのを防止し、蓋部と筐体との接合状態を適正化できる。
【００１６】
そして、本発明の他の目的、特徴および利点は、添付図面および各実施の形態を参照することにより、一層明確になるであろう。
【図面の簡単な説明】
【００１７】
【図１】第１の実施の形態に係る電子装置の構成例を示す図である。
【図２】止水手段の構成例を示す図である。
【図３】蓋部を変位させる前の止水手段の状態例を示す図である。
【図４】蓋部を変位させた後の止水手段の状態例を示す図である。
【図５】蓋部の変位に対する止水部材の状態例を示す図である。
【図６】第２の実施の形態に係る携帯端末装置の構成例を示す図である。
【図７】携帯端末装置の背面側の構成例を示す図である。
【図８】携帯端末装置の側面側の構成例を示す図である。
【図９】カバー設置前の状態例を示す図である。
【図１０】立壁部と止水手段との接触位置に基づいてカバーがとりつけられた状態例を示す図である。
【図１１】カバーの変位に対する止水手段の状態例を示す図である。
【図１２】カバーの変位方向に対して平行に配置される止水手段の変形状態を示す図である。
【図１３】止水手段の変形状態例を示す図である。
【図１４】第３の実施の形態に係る携帯端末装置の構成例を示す図である。
【図１５】携帯端末装置の分解斜視図である。
【図１６】第４の実施の形態に係る携帯端末装置の止水手段の構成例を示す図である。
【図１７】蓋部に設置された止水手段の変形前の状態例を示す図である。
【図１８】蓋部を変位させたときの止水領域内部の状態例を示す図である。
【図１９】蓋部を変位させたときの止水手段の状態例を示す図である。
【図２０】止水手段の他の構成例を示す図である。
【図２１】止水手段の他の構成例を示す図である。
【図２２】止水手段の他の構成例を示す図である。
【図２３】第５の実施の形態に係る携帯端末装置の構成例を示す図である。
【図２４】図２３のＸＸＩＶ−ＸＸＩＶ線断面を示す図である。
【図２５】筐体に対してカバーを設置する前の状態例を示す図である。
【図２６】カバーが筐体に設置された状態例を示す図である。
【図２７】止水手段の他の構成例を示す図である。
【図２８】他の実施の形態に係る携帯端末装置の構成例を示す図である。
【発明を実施するための形態】
【００１８】
〔第１の実施の形態〕
【００１９】
図１は、第１の実施の形態に係る電子装置の構成例を示している。図１に示す構成は一例であって、斯かる構成に本発明が限定されるものではない。
【００２０】
図１に示す電子装置２は、本開示の電子装置の一例であり、筐体内部に止水領域４が形成される。この止水領域４は、たとえば電子装置２の外部から水や埃、その他の異物などの進入を阻止して、電子装置２の機能部品である電子部品６が収納される。止水領域４は、たとえば電子装置２の内部全体、または収納される電子部品６の大きさに応じて設定される。電子部品６は、たとえば電子装置２に給電するための電池パックや図示しない給電端子、または電子装置２を機能させる回路基板などで構成される。この電子装置２は、たとえば電子部品６が配置される筐体８と、この筐体８の一部または全部を開閉させる蓋部１０、この筐体８と蓋部１０との接合部分を止水する止水手段１２を備えている。
【００２１】
筐体８は、たとえばポリカーボネート（Polycarbonate）などの樹脂材料で構成され、単一または複数の部材の組み合わせで構成されている。筐体８は、たとえば一端側の一部または全部に開口部１４が形成され、筐体８の内部に電子部品６の出し入れを可能にする。また、筐体８には、たとえば止水領域４を形成する立壁部１６が形成されている。
【００２２】
立壁部１６は、たとえば筐体８と一体に形成してもよく、または筐体８内部に別部材を設置してもよい。立壁部１６は、たとえば筐体８の内部において、止水領域４として設定する範囲の周囲を覆うように形成されている。立壁部１６の高さは、たとえば電子装置２の筐体８の厚さに設定してもよい。また立壁部１６は、たとえば電子装置２の内部全体を止水領域４にする場合には、電子装置２の筐体外周に沿って形成される。
【００２３】
そして止水領域４では、立壁部１６に対して止水手段１２を構成する止水部材２０が押し付けられることで、立壁部１６と蓋部１０との接合部分から水分などが混入するのを阻止している。
【００２４】
蓋部１０は、筐体８の開口部１４を開閉可能に設置され、止水領域４を覆う手段の一例である。この蓋部１０は、たとえば電子装置２の表面カバー部材、または止水領域４の開口部１４およびその周辺に設置されるカバー部材で構成される。蓋部１０は、たとえば止水領域４の開口端面に向けて配置される立壁部１６の上端側に対して平面を接触させて設置される。また蓋部１０は、筐体８に対して一定方向に変位させて設置することができる。この蓋部１０は、たとえば立壁部１６との接触状態において変位させてもよく、または変位させた位置で立壁部１６に設置させてもよい。
【００２５】
また、蓋部１０には、止水領域４を形成する立壁部１６に合わせて止水手段１２が設置されている。止水手段１２は、たとえば止水部材２０を立壁部１６の周囲側面側に沿って圧接させることで、筐体８と蓋部１０との接合部分から流入する水分などに対し、止水領域４の開口部１４側を密閉させる。止水部材２０は、たとえば弾性変形可能なエラストマなどの樹脂材料で構成されている。この止水部材２０は、たとえば蓋部１０に形成された押圧部１８によって立壁部１６側に向けて押圧される。
【００２６】
この止水手段１２は、たとえば筐体８に対する蓋部１０の変位に対して、一部または全部を変形し、止水部材２０と立壁部１６との圧着状態を維持させる。
【００２７】
＜止水手段について＞
【００２８】
図２は、止水手段の構成例を示している。図２に示す構成は一例である。
【００２９】
図２のＡに示す止水手段１２は、たとえば蓋部１０に設置され、または蓋部１０と一体に成形された押圧部１８の周囲に止水部材２０が設置されている。押圧部１８は、たとえば蓋部１０に対するリブ構造で形成されている。止水部材２０は、たとえば押圧部１８にアウトサート成型により一体化して形成される。
【００３０】
押圧部１８は、たとえば止水部材２０を介して立壁部１６側に接触させる突起部２２と、蓋部１０と突起部２２とを連結させる連結部２４が形成されている。突起部２２は、たとえば押圧部１８の先端側の一部を立壁部１６（図１）側に対して突出させるように形成されており、立壁部１６に対して止水部材２０を圧接状態に維持させる。この突起部２２は、たとえば蓋部１０の変位によって立壁部１６側に押し付けられた場合でも、外形を変形させない程度の剛性を持たせるため、径大に形成されている。
【００３１】
連結部２４は、蓋部１０側の一部に設置または蓋部１０と一体に成形され、蓋部１０と突起部２２とを連結している。この連結部２４は、たとえばその長さによって止水領域４（図１）内に対する突起部２２による止水位置が設定される。連結部２４は、たとえば蓋部１０と同様に樹脂部材、または弾性変形可能な金属部材で構成してもよい。また連結部２４は、たとえば蓋部１０の変位や外力、または立壁部１６との接触により受ける接触力（反力）などによって変形可能な程度に剛性を弱く設定されている。連結部２４は、変形可能な構成として、たとえばその幅Ｗ１が突起部２２の幅Ｗ２に対して径小に形成されている。
【００３２】
止水手段１２は、図２のＢに示すようにたとえば蓋部１０の変位により立壁部１６側に押し付けられた場合、連結部２４が変形し、立壁部１６との接触圧力による破損を回避できる。この連結部２４は、たとえば蓋部１０に対して突起部２２の相対位置を変位可能に連結させる手段の一例である。すなわち止水手段１２では、たとえば水平方向に変位させた蓋部１０に対し、連結部２４の変形により突起部２２を蓋部１０の変位方向と反対方向に平行にまたはそれに近い状態で変位している。これにより、突起部２２は、たとえば蓋部１０が変位する前（図２のＡ）と変位した後（図２のＢ）とで、立壁部１６に対する接触方向、接触位置、または押圧力が同等となり、止水状態を維持することができる。
【００３３】
また、止水部材２０は、たとえば立壁部１６との接触による止水強度を高めるために、一部を盛上げた接触部２６が形成されている。この接触部２６は、たとえば、立壁部１６との接触位置に合わせて形成されるとともに、突起部２２の幅に応じて形成されている。
【００３４】
＜電子装置の蓋部を変位させる状態例＞
【００３５】
図３および図４は、電子装置の蓋部の位置と止水手段の状態例を示している。また、図５は、蓋部に設置される止水手段の構成例を示している。図３、図４および図５に示す構成は一例である。
【００３６】
図３に示す電子装置２は、たとえば筐体８の内部に設置された立壁部１６で周囲を囲まれるとともに、蓋部１０と立壁部１６との間の止水手段１２で覆われた領域に止水領域４が設定される。この止水手段１２の押圧部１８は、たとえば電子装置２の止水領域４の左右両端に対して略同等な押圧力で止水部材２０を介して各立壁部１６に接触している。このとき、止水手段１２が設置された蓋部１０は、たとえば筐体８に形成された各蓋部設置エリアに対し、左端部２７が接触し、かつ右端部２８側に隙間が生じて嵌合状態となる。
【００３７】
この電子装置２は、筐体８に対して蓋部１０を嵌め合わせる場合において、たとえば止水手段１２と立壁部１６との接触位置を基準にした場合、左側に僅かにずれている。蓋部１０と筐体８との間に生じたずれは、たとえば蓋部１０に対する各止水手段１２の左右の設置または形成位置の相違や、蓋部１０の設置範囲に対する開口部１４の形成位置の相違、止水部材２０の厚さの相違などがある。
【００３８】
止水領域４を形成する筐体８の内部には、たとえば立壁部１６の横幅Ｌ１に対して、両側の各止水手段１２の幅を除いた部分が止水領域４の横幅Ｌ２となる。
【００３９】
図４に示す電子装置２では、蓋部１０がたとえば図中のｘ方向に向けて変位量Δｘ分変位させている。この変位量Δｘは、たとえば左端部２７と右端部２８とで筐体８と蓋部１０との間の隙間が同等の幅となるように設定される。蓋部１０をｘ方向に変位させた場合、たとえばｘ方向に対して交差方向にある止水手段１２は、蓋部１０の変位に応じて連結部２４が変形し、突起部２２がｘ方向に対して反対方向（−ｘ方向）に変位する。すなわち連結部２４は、たとえば蓋部１０の変位に対して追従させて変位するとともに、この変位に応じて弾性変形する。また、突起部２２は、連結部２４の変形により、蓋部１０の変位に対して追従させず立壁部１６に対する接触位置を維持させている。すなわち、連結部２４は、突起部２２に対して、蓋部１０の変位による力を遮断している。
【００４０】
蓋部１０の変位前において、筐体８に設置された止水手段１２は、図５のＡに示すように、たとえば蓋部１０の中央側に対して左右に幅Ｌ３、Ｌ４に形成される。このとき左右の止水手段１２ａ、１２ｂの外周側の横幅は、筐体１０の開口部１４（図４）の横幅Ｌ１と同等であり、また、止水手段１２ａ、１２ｂの内周側の横幅は、止水領域４の幅であり、幅Ｌ２で維持される。蓋部１０の外縁から止水手段１２ａまたは止水手段１２ｂまでの幅Ｌ３、Ｌ４は、同等に形成すればよく、またはデザイン等によって異ならせてもよい。
【００４１】
図５のＢに示すように、蓋部１０をｘ方向にΔｘ分変位させた場合、止水手段１２ａでは、たとえば止水部材２０の接触部２６ａが立壁部１６（図４）から蓋部１０の変位に対する反力を受ける。そして連結部２４ａは、その反力によって弾性変形することで、たとえば接触部２６ａと立壁部１６との接触圧力を蓋部１０が変位する前と同等に維持させ、接触状態を保持する。これにより、ｘ方向に対して進行方向側の止水手段１２ａでは、たとえば連結部２４の変形により突起部２２ａが−ｘ方向に変位する。
【００４２】
また、止水手段１２ｂでは、たとえば蓋部１０側の連結部２４ａの一部が蓋部１０に追従して変位するとともに、突起部２２ａが−ｘ方向に変位することで、連結部２４ｂが弾性変形し、突起部２２ｂが−ｘ方向に変位する。止水手段１２は、止水領域４の周囲を囲って形成されており、止水部材２０は、その形状を維持させるように機能する。そのため止水手段１２ａが立壁部１６から受けた反力による突起部２２ａの変位は、たとえば蓋部１０の変位方向であるｘ方向に平行に配置された止水手段１２ｃ、１２ｄを通じて止水手段１２ｂに伝達される。これにより、止水手段１２ｂでは、この変位により突起部２２ｂおよび接触部２６ｂが立壁部１６に押し付けられ、蓋部１０が変位する前と同等に止水機能を維持することができる。
【００４３】
これにより蓋部１０側の止水領域４の横幅Ｌ２は、たとえば蓋部１０の変位に関わらず同等に維持される。また、連結部２４ａおよび２４ｂの変形により、接触部２６ａと蓋部１０の端部との幅は、幅Ｌ６に拡大するとともに接触部２６ｂと蓋部１０の端部との幅は、幅Ｌ５に縮小している。変位前の幅Ｌ４に対する幅Ｌ６の拡大量または変位前の幅Ｌ３に対する幅Ｌ５の縮小量は、たとえば蓋部１０の変位量Δｘや止水部材２０、連結部２４の弾性特性などにより決まる。
【００４４】
なお、この実施の形態では、蓋部１０を止水手段１２の一辺に平行または直交方向に変位させた場合を示したがこれに限られない。蓋部１０を斜め方向に変位させてもよい。その場合、止水手段１２の変位及び変形は、たとえば止水手段１２の水平方向の変位量、直交方向の変位量に基づいて変位および変形状態が生じる。
【００４５】
また、止水手段１２では、押圧部１８の周囲に止水部材２０を一体成形（アウトサート成形）する場合に限られず、別部材で構成された止水部材２０を組立て時に押圧部１８側に設置させるものでもよい。また、連結部２４は、剛性を弱くして変形可能にする手段として、径小に加工する場合に限られず、たとえば連結部２４として機能させる部分に複数の穴を開けて剛性を落とすように加工してもよい。
【００４６】
斯かる構成によれば、連結部により蓋部と突起部との相対位置を変位可能に連結させることで、筐体の立壁部に対して突起部により止水部材を圧接させることができ、止水機能を維持させることができる。また、蓋部と突起部とを連結部により相対的に変位可能に連結させることで、蓋部に対する止水手段の形成誤差を吸収でき、筐体と蓋部との接合精度を向上させるとともに、止水機能の維持を図ることができる。また、連結部により蓋部と突起部との相対位置を変位可能に連結させることで、筐体に対する止水部材の接触位置が限定されるのを防止し、蓋部と筐体との接合状態を適正化できる。
【００４７】
〔第２の実施の形態〕
【００４８】
図６、図７および図８は、第２の実施の形態に係る携帯端末装置の構成例を示している。図６ないし図８に示す構成配置例であって、本発明が斯かる構成に限定されるものではない。
【００４９】
図６に示す携帯端末装置３０は、本開示の電子装置の一例であり、たとえば筐体３２の一部に電子部品３４などを収納する収納部３８が形成されている。この携帯端末装置３０は、たとえば携帯電話機や携帯ＰＣ（Personal Computer）、その他携帯音楽プレーヤ、携帯ゲーム機、カメラなどの一例である。この携帯端末装置３０は、収納部３８を開閉させるカバー４０を備えている。カバー４０は蓋部の一例であり、たとえば筐体３２に対して着脱可能である。またカバー４０は、図示するように筐体３２に対して直交するように開閉するものに限られず、たとえば筐体３２に対して平行に着脱させるものでもよい。
【００５０】
カバー４０は、筐体３２に接触させる面に止水手段４２を備えている。この止水手段４２は、既述のように、外装側に止水部材２０の一部を突出させた接触部２６が形成されるとともに、内部には、接触部２６を押圧する突起部２２（図９）および変形可能な連結部２４（図９）を備えている。止水手段４２は、筐体３２の収納部３８に対して止水する手段の一例である。止水手段４２は、たとえば収納部３８の外形に応じて形成されており、接触部２６の横幅Ｌ７は、収納部３８の開口幅である立壁部１６の幅Ｌ１よりも大きく形成されている。また、止水手段４２の内側の幅Ｌ２は、収納部３８に形成される止水領域の幅の一例である。
【００５１】
また、カバー４０は、たとえば筐体３２と接触させる面の一部に係止爪５０、５２を備えている。この係止爪５０、５２は、筐体３２に形成された係止孔５４、５６に係止させることで、カバー４０を筐体３２に固定させる手段の一例である。なお、係止爪５０、５２は一例であり、たとえば単数の係止爪で係止させる構造であってもよい。また筐体３２にカバー４０を係止させる構造は、爪構造に限られない。
【００５２】
筐体３２に形成された収納部３８は、止水手段４２を備えたカバー４０が設置されることで止水領域が形成される。収納部３８の周囲は、たとえば収納される電子部品３４の高さ、幅および外形に合わせて立壁部１６が形成される。収納部３８の内部底面側は、たとえば電子部品３４を載置する載置面を備えてもよく、または筐体３２内に形成される図示しない空間部に対して貫通させてもよい。これにより、電子部品３４は、たとえば筐体３２内に配置された基板などに対して直接接続させてもよい。
【００５３】
筐体３２には、たとえば収納部３８の周囲側にカバー４０を嵌合させる凹部６０が形成されている。これにより携帯端末装置３０は、図８に示すように、たとえば筐体３２にカバー４０を設置させたときにその表面を面一にさせてもよい。また凹部６０の一部には、たとえばカバー４０の係止爪５０、５２を係止させる係止孔５４、５６が形成される。
【００５４】
また、図７に示す凹部６０には、たとえば筐体３２に設置されたカバー４０の側面の一部や内側にユーザの指や爪を接触させるための孔部６２を形成してもよい。
【００５５】
図８に示す携帯端末装置３０は、たとえば第１の筐体６４と第２の筐体６６とが接合されており、収納部３８の開口部を筐体６４、６６のいずれか一方または両方に形成してもよい。筐体６４は、たとえば前面側筐体の一例であり、液晶（ＬＣＤ：Liquid Crystal Display）表示部や操作部などが形成されてもよい。筐体６６は、たとえば背面側筐体の一例であり、カメラ機能などが設置されてもよい。そして、筐体６４または筐体６６の内部は、たとえば一部に収納部３８が形成されてもよい。
【００５６】
図９、図１０、図１１は、筐体に対する蓋部の配置状態例を示している。図９ないし図１１に示す構成は一例である。
【００５７】
＜筐体に対するカバーの配置状態＞
【００５８】
図９に示すカバー４０は、たとえば止水手段４２および係止爪５０、５２を筐体３２側に接触させず、変位前または止水手段４２が変形前の初期状態となっている。また収納部３８には、たとえば電子部品３４とともに第２の筐体６６に設置された基板３６の一部または全部が収納されており、電子部品３４の下部が基板３６に接続させる。
【００５９】
カバー４０は、たとえば収納部３８の外周の凹部６０内に配置される。また、カバー４０の係止爪５０、５２は、それぞれ筐体３２の凹部６０側に形成された係止孔５４、５６の位置に合わせて配置される。
【００６０】
＜止水手段の安定位置におけるカバーの嵌合状態＞
【００６１】
ガバ−４０を筐体の凹部６０内に嵌合させると、図１０に示すように、止水手段４２は、収納部３８の周囲の立壁部１６に圧接状態となる。このとき、カバー４０は、たとえば筐体３２の凹部６０に対し、収納部３８内で止水手段４２が変形や変位しない、安定位置で嵌合される。すなわちカバー設置操作において、筐体３２に対するカバー４０の設置位置は、たとえば止水手段４２の設置位置に基づいて決定される。止水手段４２の安定位置は、たとえばカバー４０に対する止水手段４２の設置位置や筐体３２に対する立壁部１６の形成位置などに基づいて設定される。
【００６２】
また、止水手段４２の安定位置は、たとえばカバー４０の一部と凹部６０の一部とが接触することによって設定されてもよい。
【００６３】
カバー４０が筐体３２に嵌合すると、カバー４０の係止爪５０、５２は、それぞれ係止孔５４、５６に対して係止される。
【００６４】
このカバー４０では、たとえば止水手段４２の安定位置が右側にずれて設定されているため、カバー４０と筐体３２との嵌合位置が左側にずれている。これにより筐体３２の凹部６０には、たとえばカバー４０の右端部６８の一部または全部との間に隙間が生じている。逆に、凹部６０は、たとえばカバー４０の左端部７０の一部または全部に接近または接触した状態となっている。このとき係止爪５０は、たとえば係止孔５４に対して通常の位置よりも深い位置に配置され、係止孔５４に対する掛かり量が大きくなる。また係止爪５２では、たとえば係止孔５６に対して通常の位置よりも浅い位置に配置されることで、係止孔５６に対して係止されない状態、または掛かり量が小さい状態となる。
【００６５】
このように筐体３２の凹部６０にカバー４０がずれて嵌合された携帯端末装置３０は、たとえばカバー４０の周囲に形成される隙間が左右で異なり、デザイン性の低下を招く。また、左右の係止爪５０、５２の掛かり量が異なることにより、カバー４０が係止できずに開状態となるほか、開操作が困難になり電子部品３４の取り外しなどが困難になるおそれがある。
【００６６】
＜係止爪による係止位置を適正化させるカバーの変位＞
【００６７】
図１１に示す携帯端末装置３０では、たとえばカバー４０の設置位置を変位させることで、カバー４０と筐体３２との嵌合位置を調整する。そこで、携帯端末装置３０では、たとえば右端部６８と凹部６０との隙間が大きく開口している右方向（ｘ方向）に向けてカバー４０を変位させる。
【００６８】
止水手段４２は、既述のように、カバー４０の変位に対して、たとえば右端部６８側の突起部２２および接触部２６が立壁部１６から反力を受け、連結部２４がカバー４０の変位方向と反対側に変形する。また左端部７０側の止水手段４２は、右端部６８側の止水手段４２の変位により、連結部２４がカバー４０の変位方向と反対側に変形する。カバー４０は、たとえば係止爪５０、５２が係止孔５４、５６に対して適正な掛かり量になるように変位量Δｘ（図１２）を設定すればよい。
【００６９】
また、カバー４０の変位方向に対して平行に配置された止水手段４２は、たとえば右端部６８側の止水手段４２の変位を受けると、図１２に示すように、連結部２４が変位方向に対して反対方向（−ｘ方向）に変形し、突起部２２および接触部２６を変位させる。そして、この連結部２４の変形により、右端部６８側の止水手段４２が立壁部１６から受けた力を左端部７０側の止水手段４２側に伝達させることができる。
【００７０】
このカバー４０の変位は、たとえば係止爪５０、５２と係止孔５４、５６との係止位置を筐体３２に対するカバー４０の嵌合位置を基準に設定されればよい。
【００７１】
なお、図１２に示す止水手段４２の変形は、カバー４０の変位方向（ｘ方向）が止水手段４２を構成する２辺に対して平行し、また他の２辺に対して直交した場合の状態例である。しかし、カバー４０の変位方向は、これに限られるものではない。カバー４０の変位方向が止水手段４２のいずれの辺も平行にならない場合、止水手段４２は、たとえば各辺においてカバー４０の変位方向の力に応じた変形状態となる。カバー４０が携帯端末装置３０の筐体３２に対して斜め方向に変位された場合、各止水部材４２は、たとえばカバー４０から受ける変位方向の力について、直交方向成分および平行方向成分に基づいて、連結部２４が変形状態となる。
【００７２】
図１３は、止水手段の他の構成例を示している。図１３に示す構成は一例である。
【００７３】
図１３に示す止水手段７５は、本開示の止水手段の一例であり、止水部材２０の接触部２６を押下する突起部７６が形成されている。またカバー４０には、たとえば一端側をカバー４０の内部または端面側にインサートまたはアウトサート成型により一体化させ、他端側に突起部７６を設置した連結部７８が形成されている。連結部７８は、たとえば弾性変形可能な軽少な金属部材やバネ部材で構成されている。これにより、止水手段７５は、たとえばカバー４０側の根元部分について低い剛性により弾性変形することで、既述のように、カバー４０の変位に対して突起部７６および接触部２６をカバー４０との相対位置により変位可能に連結させてもよい。
【００７４】
斯かる構成によれば、カバー４０と筐体３２が、止水手段４２と立壁部１６との接触位置を基準に嵌合するのを防止することができる。そして、カバー４０の変位に対して連結部２４、７８を変形可能に構成することで、カバー４０の変位を突起部２２、７６側に伝達させず、立壁部１６に対する接触部２６の接触位置、接触圧力を維持することができ、止水機能を維持させることができる。また、カバー４０や立壁部１６、係止爪５０、５２、係止孔５４、５６の成形誤差などに対して、係止爪５０、５２の係止位置（量）を基準に調整可能にすることで、止水機能を維持することができる。
【００７５】
以上説明した各実施形態について、その特徴事項を以下に列挙する。
【００７６】
(1)  この電子装置では、硬質樹脂にて成形された筐体３２に防水の止水部材２０となるゴム系樹脂を筐体３２の面から形成する構造において、止水部材２０を支える突起部２２の根元（連結部２４）を筐体剛性より下げている。
【００７７】
(2)  止水部材２０を支える突起部２２および連結部２４は、たとえば一体成形で構成している。また突起部２２および連結部２４の材質は、筐体３２と同一で構成してもよい。さらに、突起部２２および連結部２４は、形状的に筐体３２より薄く形成されている。
【００７８】
(3)  止水手段の連結部２４を筐体３２の剛性より下げることにより、止水領域４に対して、止水手段と筐体の収納部との接触位置によってカバーと筐体との接合位置が決まるのを回避できる。そして、電子装置は、カバーによる外観や他の機能（爪嵌合）への影響が軽減させることが可能となる。
【００７９】
〔第３の実施の形態〕
【００８０】
図１４、図１５は、第３の実施の形態に係る携帯端末装置の構成例を示している。図１４および図１５に示す構成は一例であり、本発明が斯かる構成に限定されるものではない。
【００８１】
図１４に示す携帯端末装置８０は、本開示の電子装置の一例であり、たとえばフロントケース８２およびリアケース８４が対向して重ね合わされている。携帯端末装置８０は、たとえばフロントケース８２に図示しない表示部や操作部などを備えている。またリアケース８４側は、たとえば一部に電池などの電子部品８６を収納する収納部８８が形成されている。また収納部８８の周囲には、止水手段１００が配置される溝部９０が形成されている。
【００８２】
この携帯端末装置８０には、リアケース８４の背面側の全面を覆うパネル９２を備える。このパネル９２は、たとえば樹脂部材で形成され、リアケース８４との対向面側の一部に、収納部８８に対して止水する止水手段１００が設置されている。すなわちこの携帯端末装置８０は、止水領域である収納部８８の外装側を覆う蓋部をリアケース８４の背面側を覆うパネル９２に一体に形成している。この止水手段１００は、たとえばパネル９２に一体成形されており、リアケース８４の溝部９０の外形に合わせて形成され、溝部９０内を埋めるように配置される。そして止水手段１００は、リアケース８４にパネル９２が重ね合わされたときに溝部９０の外周側の壁部１０２に密着状態にさせる。この壁部１０２は、止水手段１００が押し付けられることで止水領域を形成する立壁部として機能する。
【００８３】
この止水手段１００は、たとえばパネル９２に形成された図示しない押圧手段などに止水部材が設置されている。止水手段１００の形状および溝部９０内での配置状態は、既述の止水手段と同様である。
【００８４】
その他、リアケース８４には、たとえば側面側の周囲に複数の係止孔１０４が形成され、パネル９２に形成された爪部１０６を係止させる。この係止孔１０４と爪部１０６との係止により、リアケース８４に対してパネル９２が係止される。
【００８５】
フロントケース８２には、たとえば図１５に示すように、リアケース８４との間に基板１１０などが収納されている。この基板１１０は、たとえば収納部８８側に一部または全部が配置され、電子部品８６の一部と接続する端子などを備えている。
【００８６】
斯かる構成によれば、この止水手段１００は、たとえばリアケース８４に対してパネル９２を左右または上下方向にスライドさせた場合、既述のように溝部９０内においてパネル９２のスライドに応じて変形する。これにより、止水手段１００は、溝部９０内において壁部１０２に対する押圧状態が維持されることで、止水機能を維持することができる。
【００８７】
〔第４の実施の形態〕
【００８８】
図１６は、第４の実施の形態に係る携帯端末装置の止水手段の構成例を示す図である。図１６に示す構成は一例である。
【００８９】
図１６に示す止水手段１２０は、たとえばカバー４０に対して止水部材１２２を直接接合して形成されている。この止水部材１２２は、たとえば一定の形状を保持可能な剛性を持たせた樹脂材料で構成されている。止水手段１２０は、たとえばカバー４０と接続される接続部１２４、先端側に形成した本体部１２６、接続部１２４と本体部１２６とを連結する連結部１２８が一体で形成されている。
【００９０】
接続部１２４は、たとえばカバー４０に対する接続強度を得るため、一定の長さまたは面積をもって形成されている。接続部１２４は、たとえばカバー４０との間に接着剤などを介して接続してもよく、またはカバー４０に対してアウトサート成型によって形成してもよい。
【００９１】
本体部１２６は、たとえば止水領域を形成する立壁部などに対して圧接状態を維持して接触させる突起部の一例である。本体部１２６には、たとえば図示しない立壁部に対する側面の一部または全部を突起状に形成した接触部２６を備える。また本体部１２６は、たとえば内部の一部に一定の面積を持った軸部１３０を備えている。軸部１３０は、たとえば止水手段１２０の本体部１２６を立壁部に対して押圧させる突起部の一例であり、たとえば一定の剛性を持たせている。軸部１３０は、たとえば本体部１２６を構成する樹脂部材に対してインサート成型によって形成すればよい。これにより本体部１２６は、既述のようにカバー４０のスライドにより、立壁部から受ける反力によって変形しないように一定の剛性が得られる。軸部１３０や突起部２６を備える本体部１２６の横幅は、たとえば止水領域の周囲に形成され、止水手段１２０が配置される溝などの大きさによって設定されればよい。
【００９２】
連結部１２８は、止水部材１２２で形成され、接続部１２４に対して本体部１２６を支持するとともに、たとえばカバー４０と本体部１２６との相対位置を変位させるように変形可能に形成されている。また、連結部１２８は、たとえば本体部１２６よりも幅が径小に形成され、本体部１２６よりも剛性が小さくなるように幅が設定されている。
【００９３】
止水手段１２０は、図１７のＡに示すように、たとえばカバー４０の外周に沿って、中央側に一定の範囲で止水領域を設定するように設置されている。左右両辺に配置された止水手段１２０ａ、１２０ｂの内側の横幅Ｌ２は、図１７のＢに示すように、止水手段１２０およびカバー４０によって上部および左右が密閉される止水領域の幅である。またカバー４０には、たとえば止水手段１２０ａ、１２０ｂよりも外周側に携帯端末装置１４０（図１８）の筐体３２に係止させる係止爪５０、５２を備えている。
【００９４】
図１８に示す携帯端末装置１４０は、筐体３２に対してカバー４０を設置した状態例を示している。カバー４０の設置では、たとえば筐体３２の立壁部１６に対する安定位置に対して止水手段１２０が配置されたのち、係止爪５０、５２を係止孔５４、５６に対して適正な掛かり量になるように変位させる。カバー４０の変位状態については、既述の通りであるので、詳細な説明を省略する。
【００９５】
図１９のＡに示すカバー４０のｘ方向への変位に対し、連結部１２８は、図１９のＢに示すようにたとえば止水手段１２０ａの本体部１２６が立壁部１６側から受けた反力に応じて（−ｘ）方向に変形する。これにより本体部１２６は、たとえばカバー４０に対して平行状態で、（−ｘ）方向に変位する。また、本体部１２６では、内部に設置した軸部１３０の剛性により、変形や傾斜状態で変位するのが阻止され、立壁部１６に対する圧接状態を維持することができる。また、止水部材１２０ｂでは、止水部材１２０ａ側が受けた反力が伝達され、連結部１２８が変形する。これにより、止水手段１２０ｂ側の本体部１２６は、（−ｘ）方向に変位することで、カバー４０が変位しても、立壁部１６に対する圧接状態を維持することができる。この止水手段１２０は、カバー４０の変位に対しても、止水領域の横幅Ｌ２が維持される。
【００９６】
図２０、図２１、図２２は、他の止水手段の構成例を示している。図２０ないし図２２に示す構成は一例である。
【００９７】
図２０に示す止水手段１２０は、たとえばカバー４０の一部に係止リブ１４４を形成している。この係止リブ１４４は、止水手段１２０の接続部１２４の一部をカバー４０との間で囲んで支持する構成であり、たとえば逆「Ｌ」字型に形成されている。この係止リブ１４４は、カバー４０と接続部１２４との接触面積を増やすことで、止水手段１２０の接着強度を高めることができる。また、係止リブ１４４は、カバー４０の変位方向（ｘ方向）の力と、立壁部１６（図１８）などから受ける反力（−ｘ方向）とによる剪断力によって、止水手段１２０がカバー４０から引きはがされるのを阻止することができる。
【００９８】
なお、係止リブ１４４は、カバー４０に対して１つに限られず、複数形成してもよい。
【００９９】
図２１に示す止水手段１２０−２は、たとえばカバーの一部に凸部１４６を備えるとともに、接続部１２４の一端を配置させる凹部１４８をそなえてもよい。この凹部１４８は、たとえば凸部１４６に隣接させ、または近接した位置に形成されている。そして、接続部１２４は、中央部分１５０を凸部１４６の周囲に沿って配置させるとともに、先端部分１５２を凹部１４８内に沿わせて設置されている。
【０１００】
この止水手段１２０−２は、凸部１４６および凹部１４８によってカバー４０と接続部１２４との接触面積を増やすことで、止水手段１２０ｂの接着強度を高めることができる。また、凸部１４６および凹部１４８は、カバー４０の変位方向（ｘ方向）の力と、立壁部１６（図１８）などから受ける反力（−ｘ方向）とによる剪断力によって、止水手段１２０−２がカバー４０から引きはがされるのを阻止することができる。
【０１０１】
図２２に示す止水手段１２０−３は、たとえばカバー４０に接続する接続部１６０のカバー４０側の面の一部または全部に一定の幅の凸部１６２を単数または複数形成している。そしてこの凸部１６２は、カバー４０に形成された凹部１６４に合わせて接続される。凸部１６２と凹部１６４との接続には、たとえばカバー４０に対して止水部材１２２をアウトサート成形することで、凹部１６４に合わせて凸部１６２を形成させればよい。また、止水手段１２０−３は、接続面に接着剤などを介在させてもよく、または凹部１６４を凸部１６２よりも径小に形成して、凸部１６２を圧入させるようにしてもよい。
【０１０２】
この止水手段１２０−３は、既述のように、カバー４０と接続部１６０との接着強度が高められるので、カバー４０の変位によって止水手段１２０ｃとカバー４０とが引きはがされるのを阻止できる。
【０１０３】
斯かる構成によれば、止水手段の連結部を止水部材で形成することで、連結部の変形量を大きくとることができる。また、カバーに対する接続部の接触面積を増加させることで、カバーに対する止水手段の接着強度を向上できる。これにより、カバーの変位に対して、止水手段と立壁部との接触状態を維持することができ、止水機能の向上を図るとともに止水手段の信頼性を向上させることができる。
【０１０４】
〔第５の実施の形態〕
【０１０５】
図２３は、第５の実施の形態に係る携帯端末装置の構成例を示している。図２３に示す構成は一例であり、本発明が斯かる構成に限定されるものではない。
【０１０６】
携帯端末装置１７０は、本開示の電子装置の一例であり、図２３のＡに示すように筐体３２の一部または全部に形成された収納部３８を覆うカバー４０に止水手段１２０が形成されている。この止水手段１２０は、既述のように筐体３２とカバー４０とが接合したときに、収納部３８の周囲の立壁部１６側に止水部材を備える本体部１２６（図２４）を押し付けることで収納部３８への水などの進入を阻止する。また、止水手段１２０は、たとえばカバー４０と筐体３２とが相対的に移動（変位）した場合、この変位に応じて連結部１２８を変形させることで、収納部３８に対して本体部１２６と立壁部１６との接触状態を維持している。
【０１０７】
また、カバー４０は、たとえば係止爪５０、５２の近傍に複数のピン１７２、１７４を備えている。このピン１７２、１７４は、カバー４０の設置位置をガイドするガイド軸の一例であり、図２３のＢに示すように筐体３２に形成された孔１７６、１７８に挿入させることで、筐体３２に対するカバー４０の設置位置が設定される。筐体３２に形成された孔１７６、１７８は、ピン１７２、１７４を挿通させてカバー４０を設置位置に保持させる支持孔の一例である。孔１７６、１７８は、たとえばピン１７２、１７４が挿入可能な円形に開口させてもよく、または一方を円形に形成し、他方を挿入位置の調整が可能な楕円形状に形成してもよい。この孔１７６、１７８は、たとえば収納部３８の外縁側でカバー４０が設置される凹部６０内に形成すればよい。
【０１０８】
なお、ピン１７２（孔１７６）とピン１７４（孔１７８）との配置位置は、収納部３８を挟んで直線上に対向するものに限られない。
【０１０９】
ピン１７２、１７４は、たとえば図２４のＡに示すように、直近の止水手段１２０の本体部１２６との間の距離Ｌ８が設定されている。また、孔１７６、１７８は、たとえば図２４のＢに示すように、直近の収納部３８の立壁部１６との間の距離Ｌ９が設定されている。そして、携帯端末装置１７０では、本体部１２６とピン１７２、１７４との距離Ｌ８と、立壁部１６と孔１７６、１７８との距離Ｌ９とが同等または一定の範囲になるように設定している。これによりピン１７２、１７４および孔１７６、１７８は、たとえば立壁部１６と止水手段１２０の本体部１２６との接触位置に基づき、連結部１２４の変形量が一定の範囲内になるようにカバー４０の変位量を制限することができる。
【０１１０】
カバー４０は、たとえばピン１７２、１７４と係止爪５０、５２による係止位置との間の距離Ｌ１０が孔１７６、１７８と係止孔５４、５６との距離Ｌ１１に対して同一または一定の範囲になるように設定すればよい。また、カバー４０は、たとえばピン１７２、１７４と右端部６８または左端部７０との距離Ｌ１２が孔１７６、１７８と凹部６０との距離Ｌ１３に対して同一または一定の範囲になるように設定すればよい。
【０１１１】
＜カバー４０の設置例について＞
【０１１２】
上記実施の形態では、筐体３２に対するカバー４０の設置処理において、カバー４０の止水手段１２０と立壁部１６とを位置合わせしたのちに、カバー４０の変位操作を行う場合を示している。これに対し、第５の実施の形態では、カバー４０を設定された位置に配置させている。カバー４０の設置処理に関し、たとえば図２５に示すように、カバー４０は、筐体３２の孔１７６、１７８に対してピン１７２、１７４の位置を合わせるように配置される。このとき、カバー４０または筐体３２では、たとえば止水手段１２０や立壁部１６の位置にばらつきが生じる場合、止水手段１２０の一部と立壁部１６とが重なる部分と、離間または接触圧力が弱い部分とが生じる場合がある。
【０１１３】
ピン１７２、１７４と孔１７６、１７８との挿通位置を基準にカバー４０を筐体３２に接合させると、図２６に示すように、止水手段１２０は、たとえば一端側において本体部１２６が立壁部１６と接触する。これにより、止水手段１２０は、連結部１２８が変形し、本体部１２６をカバー４０に対して平行に変位させる。この連結部１２４の変形および本体部１２６の変位は、既述のように止水手段１２０の全体に伝達され、たとえば収納部３８を挟んで対向側において、同方向に連結部１２４の変形と本体部１２６の変位が生じる。これにより、止水手段１２０は、たとえば立壁部１６と重なっている部分が立壁部１６との接触により変位することで、立壁部１６の側面部に圧着した状態となる。また、止水手段１２０は、たとえば立壁部１６から離間または接触圧力が弱い部分が、他端側の変形および変位に応じて立壁部１６に向けて変位し、立壁部１６の側面に一定の圧力で接触状態となる。
【０１１４】
また、このとき、カバー４０の左右の端部６８、７０は、たとえばピン１７２、１７４と孔１７６、１７８との位置決めにより、筐体３２の凹部６０に対して設定された間隔を有し、または隙間無く設置することができる。
【０１１５】
なお、左右のピン１７２、１７４と孔１７６、１７８との配置位置にずれが生じる場合、たとえば一方のピン１７２を基準に、他方のピン１７４を微小に変形させてもよい。
【０１１６】
次に、止水手段の他の構成例について図２７を参照する。
【０１１７】
図２７に示す止水手段１２０の接続部１７９は、たとえばカバー４０に形成されたピン１７２、１７４を覆うよう配置されている。この接続部１７９は、たとえばピン１７２、１７４の先端側の一部において孔１７６、１７８を埋める厚さに形成されている。これにより、この止水手段１２０は、ピン１７２、１７４と孔１７６、１７８との接合部分においても止水機能が得られる。また、ピン１７２、１７４によって孔１７６、１７８に対して止水手段１２０が圧着されるので、止水手段１２０とカバー４０との接続強度を高めることができる。
【０１１８】
斯かる構成によれば、ピンと孔とを挿通させる構造によって、カバーと筐体とを係止させる係止爪と係止孔との掛かり量のばらつきを抑えることができ、カバーと筐体との設置状態を適正に維持することができる。連結部によりカバーと止水手段の本体部との相対位置を変位可能に連結させることで、筐体の立壁部に対して本体部を圧接させることができ、止水機能を維持させることができる。カバーと本体部とを連結部により相対的に変位可能に連結させることで、カバーに対する止水手段の形成誤差を吸収でき、筐体とカバーとの接合精度を向上させるとともに、止水機能の維持を図ることができる。カバーは、筐体に対してピン構造により位置決めし、設定された範囲で止水手段を変形させるので、止水手段の連結部に過剰な力が加えられて止水手段が破損するのを防止し、止水機能を維持することができる。また、ピン構造により筐体に対するカバーの設置位置の調整を精度よく行うことができる。
【０１１９】
〔他の実施の形態〕
【０１２０】
(1)  上記実施の形態では、止水手段１２、１２０の連結部２４、１２８は、突起部２２や本体部１２６よりも剛性を弱くする構造として、連結部２４を径小にするものや、止水部材を利用して連結部１２８を形成させることを示したが、これに限られない。止水手段１２は、連結部２４に対して単数または複数の穴を開口させて剛性を弱める、所謂肉抜き加工によって形成してもよい。斯かる構成によっても、止水手段１２、１２０は、蓋部１０やカバー４０と筐体８、３２との相対的な変位に対して、連結部２４、１２８を変形させ、立壁部１６に対する突起部２２や本体部１２６の圧着状態を維持させることができる。
【０１２１】
(2)  上記実施の形態では、止水領域４は電子装置２の一部に形成される場合を示したが、これに限られない。止水領域４は、たとえば電子装置の全体に形成してもよい。図２８に示す電子装置１８０は、たとえば筐体１８２とカバー１８４とが接合され、その内部の全体に止水領域４が形成されている。カバー１８４は、たとえば左右端部側に筐体１８２に係止させる係止爪１８６、１８８を備えている。またカバー１８４は、係止爪１８６、１８８の内側に、一定の範囲を囲むように止水手段１９０を備えている。この止水手段１９０は、たとえば電子装置１８０の内部全体に対して水分や異物などの進入を阻止している。
【０１２２】
この止水手段１９０は、たとえば既述のように止水部材を筐体１８２に形成された立壁部２００に対して止水部材１９４を圧着させる押圧部１９２を備えている。押圧部１９２は、止水部材１９４に接触させる突起部１９６と、カバー１８４の変位に応じて変形する連結部１９８で構成される。この止水部材１９４は、押圧部１９２と別部品で構成されてもよく、または一体に形成してもよい。筐体１８２の外形周縁に形成した立壁部２００は、たとえばカバー１８４の係止爪１８６、１８８を係止させるとともに、内側に止水手段１９０を接触させることで、電子装置１８０の内部に止水領域４を形成させる。
【０１２３】
斯かる構成において、止水手段１９０は、上記実施の形態と同様に、筐体１８２とカバー１８４とが相対的に変位させる場合でも、連結部１９８の変形によって、止水部材１９４を立壁部２００側に圧着させることができる。
【０１２４】
次に、以上述べた実施の形態に関し、更に以下の付記を開示する。以下の付記に本発明が限定されるものではない。
【０１２５】
（付記１）止水領域を形成する立壁部を備える筐体と、
前記筐体に着脱可能に設置され、前記止水領域を覆う蓋部と、
前記蓋部に設置され、前記立壁部の側面周囲を囲い、前記立壁部に止水部材を圧接させて前記止水領域に対して止水する止水手段と、
を備え、
前記止水手段は、
前記止水部材に接触させ、前記立壁部に対する前記止水部材の圧接状態を維持させる突起部と、
前記蓋部に対して前記突起部の相対位置を変位可能に連結させる連結部と、
を備えることを特徴とする、電子装置。
【０１２６】
（付記２）前記連結部は、前記蓋部の変位により前記突起部側に作用する前記立壁部からの接触力に応じて変形することを特徴とする、付記１に記載の電子装置。
【０１２７】
（付記３）前記連結部は、弾性変形により、前記蓋部に加えられる力を前記突起部に対して遮断することを特徴とする、付記１または付記２に記載の電子機器。
【０１２８】
（付記４）前記連結部は、前記蓋部と一体に形成されたことを特徴とする、付記１ないし付記３のいずれかに記載の電子装置。
【０１２９】
（付記５）前記連結部は、前記突起部に対して剛性の低い部材で構成されたことを特徴とする、付記１ないし付記４のいずれかに記載の電子装置。
【０１３０】
（付記６）前記連結部は、前記突起部に対して径小に形成したことを特徴とする、付記１ないし付記５のいずれかに記載の電子装置。
【０１３１】
（付記７）前記連結部および前記蓋部は、接触部分の一部または全部が凹凸形状に形成されて接合されたことを特徴とする、付記１ないし付記６のいずれかに記載の電子装置。
【０１３２】
（付記８）前記突起部は、周囲の一部または全部に前記止水部材が一体に成形されたことを特徴とする、付記１ないし付記７のいずれかに記載の電子装置。
【０１３３】
（付記９）さらに、前記蓋部に設置され、前記筐体に対する前記蓋部の設置位置をガイドするガイド軸と、
前記筐体上に形成され、前記ガイド軸を挿通させて前記蓋部を設置位置に保持させる支持孔と、
を備えることを特徴とする、付記１ないし付記８のいずれかに記載の電子装置。
【０１３４】
（付記１０）前記立壁部の側面部と前記支持孔との間の距離が、前記ガイド軸と前記止水手段との間の距離に対して一定の範囲内に設定されることを特徴とする、付記９に記載の電子装置。
【０１３５】
以上説明したように、本発明の好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【０１３６】
２、１８０  電子装置
４  止水領域
６、３４、８６  電子部品
８、３２、１８２  筐体
１０  蓋部
１２、４２、７５、１００、１２０、１９０  止水手段
１４  開口部
１６、２００  立壁部
１８、１９２  押圧部
２０、１２２、１９４  止水部材
２２、７６、１９６  突起部
２４、７８、１２８、１９８  連結部
２６  接触部
３０、８０、１４０、１７０  携帯端末装置
３８、８８  収納部
４０、１８４  カバー
５０、５２、１８６、１８８  係止爪
５４、５６  係止孔
６０、１４８、１６４  凹部
６２  孔部
８２  フロントケース
８４  リアケース
１０２  壁部
１０４  係止孔
１０６  爪部
１２４、１６０、１７９  接続部
１２６  本体部
１３０  軸部
１４４  係止リブ
１４６、１６２  凸部
１７２、１７４  ピン
１７６、１７８  孔
【図１】
2014038944.tif 000003
【図２】
2014038944.tif 000004
【図３】
2014038944.tif 000005
【図４】
2014038944.tif 000006
【図５】
2014038944.tif 000007
【図６】
2014038944.tif 000008
【図７】
2014038944.tif 000009
【図８】
2014038944.tif 000010
【図９】
2014038944.tif 000011
【図１０】
2014038944.tif 000012
【図１１】
2014038944.tif 000013
【図１２】
2014038944.tif 000014
【図１３】
2014038944.tif 000015
【図１４】
2014038944.tif 000016
【図１５】
2014038944.tif 000017
【図１６】
2014038944.tif 000018
【図１７】
2014038944.tif 000019
【図１８】
2014038944.tif 000020
【図１９】
2014038944.tif 000021
【図２０】
2014038944.tif 000022
【図２１】
2014038944.tif 000023
【図２２】
2014038944.tif 000024
【図２３】
2014038944.tif 000025
【図２４】
2014038944.tif 000026
【図２５】
2014038944.tif 000027
【図２６】
2014038944.tif 000028
【図２７】
2014038944.tif 000029
【図２８】
2014038944.tif 000030